(57)【特許請求の範囲】
【請求項１】
傾斜屋根のうち、設置物が設けられる面の全面に第一の防水部材を敷設する第一の敷設工程と、
前記設置物を支持するための屋根用架台を前記第一の防水部材上に配置して、固定部材によって前記屋根用架台を前記傾斜屋根に固定する取付工程と、
前記固定部材を覆うように第二の防水部材を敷設する第二の敷設工程と、
を具備し、
前記屋根用架台は、
前記第一の防水部材上に配置され、前記固定部材が取り付けられる固定部と、
前記設置物を受ける受け部と、を具備し、
前記受け部は、
前記固定部から立ち上がるように形成されると共に、前記固定部との接続箇所が前記傾斜方向の上端部から下方に向かうにつれて広がるように形成される傾斜部を有し、
前記第二の敷設工程において、
前記第二の防水部材は、
前記傾斜屋根の傾斜方向の上端部から下方に向かうにつれて広がるように、かつ、前記固定部と前記第一の防水部材とに亘るように敷設される、
屋根用架台の取付方法。
【請求項２】
前記受け部は、
前記第一の防水部材に対して立ち上がるように形成された複数の側板と、前記設置物を受けるために当該複数の側板に支持された天板と、を有した略箱状に形成され、
前記複数の側板には、前記傾斜部と、前記傾斜部よりも前記傾斜方向の下方に形成されると共に前記傾斜方向に対して交差するように延びた下側側板と、が含まれ、
前記傾斜部の両端部と前記下側側板の両端部との間によって一対の開口部が形成される、
請求項１に記載の屋根用架台の取付方法。
【請求項３】
前記第二の敷設工程は、
前記第一の防水部材、前記固定部及び前記受け部と、前記第二の防水部材とを溶着する、
請求項２に記載の屋根用架台の取付方法。
【請求項４】
傾斜屋根のうち、設置物が設けられる面の全面に敷設された第一の防水部材と、
前記第一の防水部材上に配置され、前記設置物を支持するための屋根用架台と、
前記屋根用架台を前記傾斜屋根に固定する固定部材と、
前記固定部材を覆うように敷設された第二の防水部材と、
を具備し、
前記屋根用架台は、
前記第一の防水部材上に配置され、前記固定部材が取り付けられる固定部と、
前記設置物を受ける受け部と、を具備し、
前記受け部は、
前記固定部から立ち上がるように形成されると共に、前記固定部との接続箇所が前記傾斜方向の上端部から下方に向かうにつれて広がるように形成される傾斜部を有し、
前記第二の防水部材は、
前記傾斜屋根の傾斜方向の上端部から下方に向かうにつれて広がるように、かつ、前記固定部と前記第一の防水部材とに亘るように敷設される、
屋根用架台の取付構造。
【請求項５】
前記受け部は、
前記第一の防水部材に対して立ち上がるように形成された複数の側板と、前記設置物を受けるために当該複数の側板に支持された天板と、を有した略箱状に形成され、
前記複数の側板には、前記傾斜部と、前記傾斜部よりも前記傾斜方向の下方に形成されると共に前記傾斜方向に対して交差するように延びた下側側板と、が含まれ、
前記傾斜部の両端部と前記下側側板の両端部との間によって一対の開口部が形成される、
請求項４に記載の屋根用架台の取付構造。
【発明の詳細な説明】
【技術分野】
【０００１】
本発明は、設置物を支持する屋根用架台を傾斜屋根に取り付けるための屋根用架台の取付方法及び屋根用架台の取付構造の技術に関する。
【背景技術】
【０００２】
従来、太陽電池パネル等の設置物を支持する屋根用架台を傾斜屋根に取り付けるための屋根用架台の取付方法及び屋根用架台の取付構造の技術は公知となっている。例えば、特許文献１に記載の如くである。
【０００３】
特許文献１に記載される屋根用架台は、定着部及び係止部を具備する。定着部は、貫通孔を有し、当該貫通孔に取り付けられるボルトを介して屋根の下地に固定される。係止部には、ビス等の固定具によって太陽電池パネルが取り付けられる。
【０００４】
しかし、特許文献１に記載される取付構造は、定着部の貫通孔とボルトとの間から雨水が浸入し、当該浸入した雨水が屋根の内側に漏れてしまう可能性がある。このように、特許文献１に記載される取付構造においては、屋根用架台の取付箇所から雨漏りが発生してしまう可能性があった。
【先行技術文献】
【特許文献】
【０００５】
【特許文献１】特開平６−１８５１７７号公報
【発明の概要】
【発明が解決しようとする課題】
【０００６】
本発明は、以上の如き状況を鑑みてなされたものであり、その解決しようとする課題は雨漏りの発生を防止することが可能な屋根用架台の取付方法及び屋根用架台の取付構造を提供するものである。
【課題を解決するための手段】
【０００７】
本発明の解決しようとする課題は以上の如くであり、次にこの課題を解決するための手段を説明する。
【０００８】
即ち、請求項１においては、傾斜屋根のうち、設置物が設けられる面の全面に第一の防水部材を敷設する第一の敷設工程と、前記設置物を支持するための屋根用架台を前記第一の防水部材上に配置して、固定部材によって前記屋根用架台を前記傾斜屋根に固定する取付工程と、前記固定部材を覆うように第二の防水部材を敷設する第二の敷設工程と、を具備し、前記屋根用架台は、前記第一の防水部材上に配置され、前記固定部材が取り付けられる固定部と、前記設置物を受ける受け部と、を具備し、前記受け部は、前記固定部から立ち上がるように形成されると共に、前記固定部との接続箇所が前記傾斜方向の上端部から下方に向かうにつれて広がるように形成される傾斜部を有し、前記第二の敷設工程において、前記第二の防水部材は、前記傾斜屋根の傾斜方向の上端部から下方に向かうにつれて広がるように、かつ、前記固定部と前記第一の防水部材とに亘るように敷設されるものである。
【００１０】
請求項２においては、前記受け部は、前記第一の防水部材に対して立ち上がるように形成された複数の側板と、前記設置物を受けるために当該複数の側板に支持された天板と、を有した略箱状に形成され、前記複数の側板には、前記傾斜部と、前記傾斜部よりも前記傾斜方向の下方に形成されると共に前記傾斜方向に対して交差するように延びた下側側板と、が含まれ、前記傾斜部の両端部と前記下側側板の両端部との間によって一対の開口部が形成されるものである。
【００１１】
請求項３においては、前記第二の敷設工程は、前記第一の防水部材、前記固定部及び前記受け部と、前記第二の防水部材とを溶着するものである。
【００１２】
請求項４においては、傾斜屋根のうち、設置物が設けられる面の全面に敷設された第一の防水部材と、前記第一の防水部材上に配置され、前記設置物を支持するための屋根用架台と、前記屋根用架台を前記傾斜屋根に固定する固定部材と、前記固定部材を覆うように敷設された第二の防水部材と、を具備し、前記屋根用架台は、前記第一の防水部材上に配置され、前記固定部材が取り付けられる固定部と、前記設置物を受ける受け部と、を具備し、前記受け部は、前記固定部から立ち上がるように形成されると共に、前記固定部との接続箇所が前記傾斜方向の上端部から下方に向かうにつれて広がるように形成される傾斜部を有し、前記第二の防水部材は、前記傾斜屋根の傾斜方向の上端部から下方に向かうにつれて広がるように、かつ、前記固定部と前記第一の防水部材とに亘るように敷設されるものである。
【００１４】
請求項５においては、前記受け部は、前記第一の防水部材に対して立ち上がるように形成された複数の側板と、前記設置物を受けるために当該複数の側板に支持された天板と、を有した略箱状に形成され、前記複数の側板には、前記傾斜部と、前記傾斜部よりも前記傾斜方向の下方に形成されると共に前記傾斜方向に対して交差するように延びた下側側板と、が含まれ、前記傾斜部の両端部と前記下側側板の両端部との間によって一対の開口部が形成されものである。
【発明の効果】
【００１６】
本発明の効果として、以下に示すような効果を奏する。
【００１７】
本願発明においては、雨漏りの発生を防止しつつ、屋根用架台を傾斜屋根に固定することができる。
【図面の簡単な説明】
【００２５】
【図１】本発明の一実施形態に係る屋根を示した平面模式図。
【図２】同じく、拡大側面断面図。
【図３】屋根用架台、第二の防水シート及び取付板の分解斜視図。
【図４】（ａ）屋根用架台の平面図。（ｂ）同じく、底面図。（ｃ）同じく、側面図。（ｄ）同じく、背面図。
【図５】屋根用架台及び第二の防水シートを示した拡大平面図。
【図６】屋根用架台の取付方法の手順を示したフローチャート。
【図７】（ａ）屋根用架台の取付構造が適用される前の屋根を示した拡大平面図。（ｂ）板金を取り付けた状態を示した拡大平面図。（ｃ）第一の防水シートを敷設した状態を示した拡大平面図。
【図８】（ａ）屋根用架台を固定した状態を示した拡大平面図。（ｂ）同じく、拡大側面断面図。
【図９】（ａ）第二の防水カバーを敷設した状態を示した拡大平面図。（ｂ）同じく、拡大側面断面図。
【図１０】（ａ）全ての第二の防水カバーを敷設した状態を示した拡大平面図。（ｂ）屋根用架台に化粧板及び支持板を連結した状態を示した拡大平面図。
【図１１】太陽電池パネルを設置した状態を示した拡大平面図。
【発明を実施するための形態】
【００２６】
以下の説明においては、図中に記した矢印に従って、上下方向、左右方向及び前後方向をそれぞれ定義する。
【００２７】
以下では、本発明の一実施形態に係る屋根用架台４０の取付方法及び屋根用架台４０の取付構造について説明する。
【００２８】
まず、図１及び図２を参照して、屋根用架台４０が取り付けられる屋根１の構成について簡単に説明する。
【００２９】
屋根１は、一戸建ての住宅に設けられる切妻屋根（山形の屋根）である。屋根１は、その前後中央部から前方向及び後方向に向かうにつれて下方向に延びるように形成される。図２に示すように、屋根１は、野地板２、防水シート３及び屋根材４等を具備する。
【００３０】
野地板２は、住宅の垂木（不図示）上に設けられる板状部材である。野地板２は、屋根１の傾斜方向に沿った姿勢で前記垂木に支持される。野地板２は、屋根１の前側斜面及び後側斜面にそれぞれ設けられる。なお、本実施形態の屋根１の傾斜角度は緩やかであるため、当該屋根１の傾斜方向は概ね前後方向とみなすことができる。よって以下では便宜上、屋根１の傾斜方向を前後方向と称する。
【００３１】
防水シート３は、雨水等が野地板２に侵入することを防止するためのものである。防水シート３は、野地板２の上側面の全面に敷設される。防水シート３は、例えば、アスファルトルーフィング等によって構成される。
【００３２】
屋根材４は、防水シート３の上側面に敷き詰められる板状部材である。屋根材４は、左右方向に並べて配置される（図７（ａ）参照）。また、屋根材４は、一部が平面視で重複するように前後方向（傾斜方向）に並べて配置される。
【００３３】
図１及び図２に示すように、屋根１の前側斜面及び後側斜面には、屋根用架台４０を介して複数の太陽電池パネルＰＶ（設置物）が前後方向及び左右方向に並べて設置される。
【００３４】
次に、図１から図５までを参照して、屋根用架台４０の取付構造について詳細に説明する。
【００３５】
屋根用架台４０の取付構造は、屋根用架台４０を屋根１に取り付けるためのものである。屋根用架台４０の取付構造は、太陽電池パネルＰＶが設置される面（屋根１の前側斜面及び後側斜面）に適用される。なお、以下においては、屋根１の後側斜面を例に挙げて説明する。図１及び図２に示すように、屋根用架台４０の取付構造は、板金１０、ビス２０・５０・９０、第一の防水シート３０、屋根用架台４０、第二の防水シート６０、化粧板７０及び取付板８０を具備する。
【００３６】
板金１０は、屋根１の後側斜面の外縁部に設けられる板状部材である。板金１０は、ビス２０によって屋根１に固定される。
【００３７】
第一の防水シート３０は、雨水が屋根１に侵入することを防止するためのものである。第一の防水シート３０は、その左右方向幅及び前後方向幅が屋根１の後側斜面の左右方向幅及び前後方向幅と略同一の幅となるように形成される。第一の防水シート３０は、防水性を有する材料、本実施形態ではポリ塩化ビニルによって構成される。第一の防水シート３０は、屋根１の後側斜面の全面を覆うように板金１０及び屋根材４に載置される。第一の防水シート３０は、その外縁部が板金１０に溶着される。
【００３８】
屋根用架台４０は、太陽電池パネルＰＶを支持するための板状部材である。図３及び図４に示すように、屋根用架台４０は、固定部４１及び受け部４２を具備する。
【００３９】
固定部４１は、平板状の部分である。固定部４１は、平面視略台形状に形成され、屋根用架台４０の左前部及び右前部にそれぞれ形成される。左側の固定部４１は、左後方向に延びるように形成される。右側の固定部４１は、右後方向に延びるように形成される。左右の固定部４１は、ビス孔４１ａを具備する。
【００４０】
ビス孔４１ａは、平面視略円状の孔である。ビス孔４１ａは、固定部４１の板面を貫通する。ビス孔４１ａは、固定部４１の前側及び後側にそれぞれ形成される。
【００４１】
受け部４２は、太陽電池パネルＰＶを受けるための略箱状の部分である。受け部４２は、連結部４２ａ、ビス孔４２ｂ、傾斜部４２ｃ、水平部４２ｄ、排水孔４２ｅ及び延出部４２ｆを具備する。
【００４２】
連結部４２ａは、受け部４２の上側面である。連結部４２ａは、平面視においてホームベース状に形成される。より詳細には、連結部４２ａは、左右に隣り合う二つの直角の角部Ａ１と、当該直角の角部Ａ１と前後に隣り合う二つの鈍角の角部Ａ２と、当該二つの鈍角の角部Ａ２を成す辺によって形成される一つの角部Ａ３とを有する平面視略五角形状に形成される。連結部４２ａは、一つの角部Ａ３を前方に向けて配置され、後述する傾斜部４２ｃの左右方向幅内に収まる（直角の角部Ａ１及び鈍角の角部Ａ２が傾斜部４２ｃよりも左右方向外側に配置されない）ように形成されている。
【００４３】
ビス孔４２ｂは、連結部４２ａに形成される平面視略円状の孔である。ビス孔４２ｂは、連結部４２ａの板面を貫通する。ビス孔４２ｂは、連結部４２ａの前部に形成される。ビス孔４２ｂは、固定部４１の前側のビス孔４１ａよりも後方に配置される。また、ビス孔４２ｂは、固定部４１の後側のビス孔４１ａよりも前方に配置される。ビス孔４２ｂは、連結部４２ａの左部及び右部にそれぞれ形成される。
【００４４】
傾斜部４２ｃは、受け部４２の前側面である。傾斜部４２ｃは、連結部４２ａの前端部の形状に沿うような形状、より詳細には、後方向に向かうにつれて左右方向に広がるような形状に形成される。傾斜部４２ｃは、受け部４２の左端部から右端部に亘って形成される。傾斜部４２ｃは、連結部４２ａの前端部から下方に延びるように形成され、当該延びた端部（下端部）が固定部４１と一体的に形成されている。言い換えれば、傾斜部４２ｃは、固定部４１から立ち上がるように形成されている。
【００４５】
水平部４２ｄは、受け部４２の後側面である。水平部４２ｄは、左右方向に沿って延びるように形成される。
【００４６】
排水孔４２ｅは、水平部４２ｄに形成される背面視略矩形状の孔である。排水孔４２ｅは、水平部４２ｄの左右中央部に形成され、水平部４２ｄの板面を貫通する。
【００４７】
延出部４２ｆは、受け部４２の下側面である。延出部４２ｆは、その前後方向幅が直角の角部Ａ１から鈍角の角部Ａ２まで前後方向に沿った長さよりも狭くなるように形成される。延出部４２ｆは、水平部４２ｄから前方向に延びるように形成される。
【００４８】
このように構成された受け部４２は、その左部及び右部のうち、直角の角部Ａ１から鈍角の角部Ａ２までが開口する。また、受け部４２は、その下部のうち、延出部４２ｆが形成されていない部分（略全面）が開口する。
【００４９】
屋根用架台４０は、金属材料によって構成される平板状の部材を適宜折り曲げると共に、当該折り曲げた部材の表面に防水性を有する材料をコーティングすることによって製造される。本実施形態に係る屋根用架台４０の表面には、第一の防水シート３０と同一の材料（ポリ塩化ビニル）がコーティングされている。屋根用架台４０は、平板状の部材を折り曲げる都合上、傾斜部４２ｃの左部と右部とが一体的に形成されておらず、傾斜部４２ｃの左右中央部に僅かに隙間が形成されている。
【００５０】
図２に示すように、屋根用架台４０は、固定部４１及び受け部４２の延出部４２ｆが第一の防水シート３０に載置される。屋根用架台４０は、左右方向及び前後方向に整列した状態で屋根１に取り付けられる（図１０（ａ）参照）。屋根用架台４０の連結部４２ａには、後述する取付板８０を介して太陽電池パネルＰＶが連結される。
【００５１】
ビス５０は、屋根用架台４０を屋根１に固定するものである。また、ビス５０は、第一の防水シート３０を屋根１に固定するものである。ビス５０は、固定部４１のビス孔４１ａにそれぞれ取り付けられる。ビス５０の軸部は、固定部４１のビス孔４１ａ、第一の防水シート３０及び屋根１を貫通する。
【００５２】
図３及び図５に示すように、第二の防水シート６０は、第一の防水シート３０と屋根用架台４０との間や屋根用架台４０とビス５０との間から雨水が侵入することを防止するためのものである。第二の防水シート６０は、その前端部から左後方向及び右後方向に延びるような平面視略Ｖ字状に形成される。第二の防水シート６０は、その左右中央部における後端部が略上方向に突出するように形成される。当該突出部分は、受け部４２の前端部の形状に沿うような形状に形成される。第二の防水シート６０は、防水性を有する材料、本実施形態では第一の防水シート３０と同一の材料（ポリ塩化ビニル）によって構成される。また、第二の防水シート６０は、予め（屋根１に敷設される前に）前記突出部分が形成されている。
【００５３】
第二の防水シート６０は、ビス５０、左右の固定部４１の全面、受け部４２（傾斜部４２ｃ及び連結部４２ａ）の前端部を覆うように配置される。これにより、第二の防水シート６０は、第一の防水シート３０と固定部４１の前端部（図５に示す左右方向に延びる部分Ｂ１、左後方向に延びる部分Ｂ２及び右後方向に延びる部分Ｂ３）との間を覆っている。また、第二の防水シート６０は、第一の防水シート３０と受け部４２（傾斜部４２ｃ）の前端部との間や傾斜部４２ｃの左右中央部の隙間を覆っている。第二の防水シート６０は、第一の防水シート３０、固定部４１及び受け部４２と溶着される。第二の防水シート６０は、一つの屋根用架台４０に対して一枚ずつ溶着される。
【００５４】
図２に示す化粧板７０は、後端部（最も後の列）に配置される屋根用架台４０と太陽電池パネルＰＶとの間に配置される部材である。化粧板７０は、板面を略上方向に向けた部分と板面を略後方向に向けた部分とを有する。化粧板７０は、例えば、平板状の部材を適宜折り曲げることによって形成される。化粧板７０は、左右方向に延びるように形成される（図１０（ｂ）参照）。化粧板７０は、屋根１の左端部から右端部までに亘って形成される。化粧板７０は、前記板面を略上方向に向けた部分が受け部４２に載置される。化粧板７０には、受け部４２のビス孔４２ｂと平面視で重なる位置にビス孔（不図示）が形成される。
【００５５】
図２及び図３に示す取付板８０は、太陽電池パネルＰＶが取り付けられる部材である。取付板８０は、その左右方向幅及び前後方向幅が屋根用架台４０の左右方向幅及び前後方向幅よりも狭くなるように形成される。取付板８０は、例えば、平板状の部材を適宜折り曲げることによって形成される。取付板８０は、一つの屋根用架台４０に対して一つずつ固定される。取付板８０は、連結部８１及び係合部８２を具備する。
【００５６】
連結部８１は、その板面を略上下方向に向けた平板状の部分である。連結部８１は、受け部４２（最も後の列に配置される取付板８０の連結部８１は化粧板７０）に載置される（図１０（ｂ）参照）。連結部８１には、受け部４２のビス孔４２ｂと平面視で重なる位置にビス孔８１ａが形成される。ビス孔８１ａは、平面視略トラック状に形成される。
【００５７】
係合部８２は、太陽電池パネルＰＶと係合される部分である。係合部８２は、連結部８１の後上方に配置され、側面視略Ｊ字状に形成される。係合部８２は、その上下方向幅（傾斜方向に対して上下に直交する方向の幅）が太陽電池パネルＰＶの上下方向幅と略同一の幅となるように形成される。係合部８２には、太陽電池パネルＰＶが前側及び後側（最も後の列に配置される取付板８０の係合部８２には前側）から嵌め合わされる。
【００５８】
ビス９０は、化粧板７０及び取付板８０を屋根用架台４０に固定するものである。ビス９０は、連結部８１のビス孔８１ａにそれぞれ取り付けられる。ビス９０の軸部は、取付板８０のビス孔８１ａ及び受け部４２のビス孔４２ｂ（最も後の列に配置される屋根用架台４０を固定するビス９０は取付板８０のビス孔８１ａ、化粧板７０のビス孔及び受け部４２のビス孔４２ｂ）を貫通する。
【００５９】
次に、図２、図６から図１１までを参照して、屋根用架台４０の取付方法の手順について詳細に説明する。
【００６０】
まず、図６に示すように、屋根用架台４０の取付方法においては、第一の敷設工程が行われる（ステップＳ１０）。第一の敷設工程は、第一の防水シート３０を屋根１に敷設する工程である。図７（ａ）及び図７（ｂ）に示すように、第一の敷設工程において、まず、屋根１の後側斜面の外縁部に板金１０が固定される。
【００６１】
板金１０が固定された後で、図７（ｂ）及び図７（ｃ）に示すように、屋根１の後側斜面の全面に第一の防水シート３０が敷設される。具体的には、前後方向幅が屋根１の後側斜面よりも狭いロール状のシート部材（ポリ塩化ビニル製のシート部材）を、屋根１の左端部から右端部までに亘って繰り出して切断する。そして、当該切断したシート部材と板金１０とを熱で溶着する。このようなシート部材の切断及び溶着を、屋根１の後端部から前側に向けて順に行って屋根１の後側斜面の全面を覆う。このとき、シート部材の端部同士も熱で溶着する。これによって、溶着された複数のシート部材が一枚の第一の防水シート３０として屋根１に敷設される。
【００６２】
図６及び図８に示すように、第一の敷設工程を行った後で、取付工程が行われる（ステップＳ２０）。取付工程は、屋根１に屋根用架台４０を取り付ける工程である。取付工程において、屋根用架台４０を第一の防水シート３０に載置し、固定部４１のビス孔４１ａにビス５０を取り付ける。これにより、屋根用架台４０を屋根１に固定する。このとき、ビス５０によって屋根１に貫通孔Ｈが空けられることとなる。なおこの際、ビス５０は、屋根用架台４０と共に、第一の防水シート３０を屋根１に固定する。このように、ビス５０は、屋根用架台４０を固定する役割だけでなく、第一の防水シート３０を固定する役割を有する。
【００６３】
図６及び図９に示すように、取付工程を行った後で、第二の敷設工程が行われる（ステップＳ３０）。第二の敷設工程は、第二の防水シート６０を敷設する工程である。第二の敷設工程において、まず、第一の防水シート３０及び屋根用架台４０に第二の防水シート６０を載置する。このとき、左右の固定部４１の全面、受け部４２の前端部を覆うように第二の防水シート６０を載置する。そして、第一の防水シート３０、固定部４１及び受け部４２と第二の防水シート６０とを熱で溶着する。
【００６４】
図１０（ａ）に示すように、このような取付工程及び第二の敷設工程を繰り返し行うことで、屋根用架台４０を左右方向及び前後方向に整列した状態で屋根１に取り付ける。また、第二の防水シート６０を全ての屋根用架台４０に溶着する。
【００６５】
図６に示すように、第二の敷設工程を行った後で、設置工程が行われる（ステップＳ４０）。設置工程は、太陽電池パネルＰＶを設置する工程である。図２及び図１０（ｂ）に示すように、設置工程において、まず、後端部に配置される屋根用架台４０の連結部４２ａに化粧板７０及び取付板８０を載置する。そして、当該化粧板７０及び取付板８０をビス９０によって屋根用架台４０に固定する。そして、図２及び図１１に示すように、左右に隣接する二枚の取付板８０の係合部８２に一枚の太陽電池パネルＰＶを嵌め合わせる。その後、後端部に配置される屋根用架台４０の前方に配置される屋根用架台４０に取付板８０を載置し、ビス９０によって固定する。これにより、一枚の太陽電池パネルＰＶを四枚の取付板８０で挟み込み、一枚の太陽電池パネルＰＶを設置する。
【００６６】
設置工程においては、他の太陽電池パネルＰＶに関してもこれと略同様の手順にて四枚の取付板８０で挟み込み、屋根１に全ての太陽電池パネルＰＶを設置する。
【００６７】
本実施形態に係る屋根用架台４０の取付方法によれば、第二の防水シート６０によって、ビス５０及びその周辺を覆うことができるため、ビス５０と固定部４１のビス孔４１ａとの間から雨水が浸入することを防止できる。これにより、屋根用架台４０の取付箇所（貫通孔Ｈ）から雨漏りが発生することを防止しつつ屋根用架台４０を取り付けることができる。
【００６８】
また、本実施形態においては、屋根１の後側斜面の全面に第一の防水シート３０を敷設している。これによれば、屋根１に雨水が触れることを防止できる。このため、屋根材４の隙間に雨水が侵入することを防止でき、当該隙間を伝って貫通孔Ｈに雨水が浸入することを防止できる。また、既存の屋根１に屋根用架台４０を取り付ける場合においては、屋根材４等の損傷箇所に雨水が侵入することを防止できる。これにより、当該損傷箇所で発生していた雨漏り（屋根用架台４０の取付前から発生していた雨漏り）を直すことができる。
【００６９】
また、第一の防水シート３０を板金１０に溶着することで、第一の防水シート３０と板金１０との間を塞ぐことができる。このため、第一の防水シート３０と板金１０との間から屋根材４に雨水が浸入することを防止できる。
【００７０】
また、受け部４２は、その左部及び右部の一部が開口しているため、風で左右方向に流された雨水が当該開口箇所から内側に浸入する場合がある。このような場合でも、受け部４２は、その内側に侵入した雨水を排水孔４２ｅから排出することができる。これによって、受け部４２の内側に雨水が溜まることを抑制できる。
【００７１】
前述の如く、受け部４２のビス孔４２ｂは、固定部４１の前側のビス孔４１ａよりも後方、かつ後側のビス孔４１ａよりも前方に配置される。これによれば、ビス５０によって、太陽電池パネルＰＶをバランスよく支持することができる。このため、屋根用架台４０で重量物を確実に支持することができる。
【００７２】
また、取付構造は、化粧板７０を具備している。これによれば、屋根用架台４０と太陽電池パネルＰＶとの間を見え難くすることができるため、美観を向上させることができる。
【００７３】
以上の如く、本実施形態に係る屋根用架台４０の取付方法は、屋根１（傾斜屋根）のうち、太陽電池パネルＰＶ（設置物）が設けられる面の全面に第一の防水シート３０（第一の防水部材）を敷設する第一の敷設工程と、前記太陽電池パネルＰＶを支持するための屋根用架台４０を前記第一の防水シート３０上に配置して、ビス５０（固定部材）によって前記屋根用架台４０を前記屋根１に固定する取付工程と、前記ビス５０を覆うように第二の防水シート６０（第二の防水部材）を敷設する第二の敷設工程と、を具備するものである。
【００７４】
このように構成することにより、雨漏りの発生を防止しつつ、屋根用架台４０を屋根１に固定することができる。
【００７５】
また、前記屋根用架台４０は、前記第一の防水シート３０上に配置され、前記ビス５０が取り付けられる固定部４１と、前記太陽電池パネルＰＶを受ける受け部４２と、を具備し、前記第二の敷設工程は、前記固定部４１及び前記受け部４２を覆うように前記第二の部材を敷設するものである。
【００７６】
このように構成することにより、固定部４１及び受け部４２と第一の防水シート３０との間に雨水が浸入することを防止できる。これによって、第一の防水シート３０と固定部４１との間から貫通孔Ｈに雨水が浸入することを防止できる。また、第一の防水シート３０と受け部４２との間から受け部４２の内側に雨水が浸入することを防止できる。これにより、屋根用架台４０の腐食を抑制できる。
【００７７】
また、前記第二の敷設工程は、前記屋根用架台４０のうち、前端部（前記屋根１の傾斜方向の上端部）を覆うように前記第二の防水シート６０を敷設するものである。
【００７８】
このように構成することにより、屋根用架台４０の前端部、すなわち雨水が浸入し易い部分を塞ぐことができる。具体的には、第一の防水シート３０と固定部４１の前端部（図５に示す左右方向に延びる部分Ｂ１、左後方向に延びる部分Ｂ２及び右後方向に延びる部分Ｂ３）との間を塞ぐことができ、当該箇所から雨水が浸入することを防止できる。また、第一の防水シート３０と受け部４２（傾斜部４２ｃ）の前端部との間や傾斜部４２ｃの左右中央部の隙間を塞ぐことができ、当該箇所から雨水が浸入することを防止できる。
【００７９】
また、前記第二の敷設工程は、前記第一の防水シート３０、前記固定部４１及び前記受け部４２と、前記第二の防水シート６０とを溶着するものである。
【００８０】
このように構成することにより、第一の防水シート３０、固定部４１及び受け部４２と第二の防水シート６０との間から雨水が浸入することを防止できる。
【００８１】
なお、本実施形態においては、第一の防水シート３０と、屋根用架台４０のコーティング部分（固定部４１及び受け部４２の表面部分）と、第二の防水シート６０と、が互いに同一の材料（ポリ塩化ビニル）によって形成されている。これにより、これらの部材がそれぞれ強固に接着し、一体的に密着することとなる。すなわち、第一の防水シート３０と、固定部４１及び受け部４２と、第二の防水シート６０との間からの雨水の侵入をより確実に防止することができる。
【００８２】
また、前記取付工程は、ビス５０（前記固定部材）によって前記屋根用架台４０を屋根１（前記傾斜屋根）に固定すると共に、第一の防水シート３０（前記第一の防水部材）を屋根１（前記傾斜屋根）に固定するものである。
【００８３】
ここで、従来、屋根の防水を目的とするため、防水シート（ポリ塩化ビニル等）を屋根に敷設する技術が公知となっている。この技術においては、防水シートを敷設する前に事前に固定具（例えば、樹脂シート付き固定ディスク）を屋根に取り付ける。そして、屋根に取り付けられた固定具を上方から覆うように防水シートを配置し、当該防水シートと固定具とを電磁誘導加熱装置を用いて溶融させる。このように、従来、防水シートを屋根に敷設するためには、事前に屋根に固定具を取り付ける第一の工程と、固定具を上方から覆うように防水シートを配置する第二の工程と、防水シートと固定具とを電磁誘導加熱装置を用いて溶融させる第三の工程という、３つの工程を行う必要があった。
【００８４】
しかしながら、本実施形態においては、ビス５０によって屋根用架台４０を屋根１に固定する際に、当該屋根用架台４０と共に第一の防水シート３０を屋根１に固定する。すなわち、従来の技術（前記３つの工程）のうち、第二の工程に相当する工程（第一の防水シート３０を配置する工程）だけ行っていれば、第一及び第三の工程を行うことなく第一の防水シート３０を屋根１に固定することができる。このように、本実施形態において、第一の防水シート３０を屋根１に固定する方法は、従来の技術と異なっている。
【００８５】
こうして、本実施形態における屋根用架台４０の取付方法においては、第一の防水シート３０と屋根１との固定に関して、従来の技術と異なる方法が用いられている。これによって、第一の防水シート３０と屋根１との固定に関して施工方法の簡略化を図ることができ、コストの削減を図ることができる。また、屋根用架台４０を屋根１に固定するためのビス５０が用いられて、第一の防水シート３０と屋根１との固定に関する専用の固定具（前記固定ディスク）を準備する必要がないため、コストの削減を図ることができる。
【００８６】
このように、上述の如く構成することにより、同一のビス５０（固定部材）によって屋根用架台４０と共に第一の防水シート３０（第一の防水部材）を屋根１（傾斜屋根）に固定するため、コストの削減を図ることができる。
【００８７】
また、本実施形態に係る屋根用架台４０の取付構造は、屋根１のうち、太陽電池パネルＰＶが設けられる面の全面に敷設された第一の防水シート３０と、前記第一の防水シート３０上に配置され、前記太陽電池パネルＰＶを支持するための屋根用架台４０と、前記屋根用架台４０を前記屋根１に固定するビス５０と、前記ビス５０を覆うように敷設された第二の防水シート６０と、を具備するものである。
【００８８】
このように構成することにより、雨漏りの発生を防止することができる。
【００８９】
また、前記屋根用架台４０は、前記第一の防水シート３０上に配置され、前記ビス５０が取り付けられる固定部４１と、前記太陽電池パネルＰＶを受ける受け部４２と、を具備し、前記受け部４２は、前記固定部４１から立ち上がるように形成されると共に、前端部（前記屋根１の傾斜方向の上端部）から後方（下方）に向かうにつれて広がるように形成される傾斜部４２ｃを有するものである。
【００９０】
このように構成することにより、屋根用架台４０まで流れた雨水を、傾斜部４２ｃによって落とすことができる。これによって、受け部４２の前側面に雨水が溜まることを防止できる。
また、本実施形態に係る傾斜部４２ｃは、受け部４２の右端部から左端部までに亘って形成されている。これによれば、受け部４２の前側面に水が溜まることを確実に防止できる。
【００９１】
また、ビス５０（前記固定部材）は、前記屋根用架台４０を屋根１（前記傾斜屋根）に固定すると共に、第一の防水シート３０（前記第一の防水部材）を屋根１（前記傾斜屋根）に固定しているものである。
【００９２】
このように構成することにより、同一のビス５０（固定部材）によって屋根用架台４０と共に第一の防水シート３０（第一の防水部材）を屋根１（傾斜屋根）に固定しているため、コストの削減を図ることができる。
【００９３】
なお、本実施形態に係る屋根１は、本発明に係る傾斜屋根の実施の一形態である。
また、本実施形態に係る太陽電池パネルＰＶは、本発明に係る設置物の実施の一形態である。
また、本実施形態に係るビス５０は、本発明に係る固定部材の実施の一形態である。
また、本実施形態に係る第一の防水シート３０は、本発明に係る第一の防水部材の実施の一形態である。
また、本実施形態に係る第二の防水シート６０は、本発明に係る第二の防水部材の実施の一形態である。
【００９４】
以上、本発明の実施形態を説明したが、本発明は上記構成に限定されるものではなく、特許請求の範囲に記載された発明の範囲内で種々の変更が可能である。
【００９５】
例えば、屋根１は、一戸建ての住宅の屋根であるものとしたが、これに限定されるものではなく、工場の屋根等であってもよい。
【００９６】
また、傾斜屋根の種類は、本実施形態のような切妻屋根に限定されるものではなく、例えば、片流れ屋根や方形屋根等であってもよい。また、屋根用架台４０の取付方法は、陸屋根のような傾斜していない屋根にも適用することができる。
【００９７】
また、屋根用架台４０は、太陽電池パネルＰＶを支持するものとしたが、これに限定されるものではなく、太陽電池パネルＰＶ以外のものを支持することが可能である。具体的には、雪止め用の板等を支持することができる。
【００９８】
また、屋根材４の構成は、スレートに限定されるものではなく、例えば、瓦等であってもよい。
【００９９】
また、第二の防水シート６０は、必ずしも固定部４１の全面を覆う必要はなく、固定部４１の少なくとも一部を覆うものであればよい。
【０１００】
また、第二の防水シート６０は、必ずしも受け部４２の前端部だけを覆う必要はなく、例えば、受け部４２の全面を覆うものであってもよい。また、受け部４２の形状等に応じて適宜の部分だけを覆うものであってもよい。以上の如く、第二の防水シート６０は、受け部４２の少なくとも一部を覆うものであればよい。
【０１０１】
また、第一の敷設工程及び第二の敷設工程は、第一の防水シート３０及び第二の防水シート６０を熱で溶着するものとしたが、溶着の手法はこれに限定されるものではなく、例えば、溶剤によって溶着するものであってもよい。また、熱及び溶剤によって溶着するものであってもよい。
【０１０２】
また、第一の防水シート３０及び第二の防水シート６０の材料、並びに屋根用架台４０にコーティングする材料は、ポリ塩化ビニルに限定されるものではなく、防水性を有する材料であればよい。なお、雨水の侵入をより確実に防止する観点から、これらの材料は互いに同一（同質）であることが望ましい。
【０１０３】
また、第一の防水シート３０及び第二の防水シート６０の材料、並びに屋根用架台４０にコーティングする材料は、互いに同一の材料であるものとしたが、これに限定されるものではない。第一の防水シート３０及び第二の防水シート６０の材料、並びに屋根用架台４０にコーティングする材料は、例えば、互いに異なる材料であってもよい。また、第一の防水シート３０及び第二の防水シート６０の材料が互いに同一の材料であると共に、屋根用架台４０にコーティングする材料が第一の防水シート３０の材料とは異なる材料であってもよい。
【０１０４】
また、屋根用架台４０は、表面に防水性を有する材料をコーティングするものとしたが、これに限定されるものではなく、例えば、コーティングを施さないものであってもよい。
【０１０５】
また、屋根用架台４０は、金属材料によって構成されるものとしたが、これに限定されるものではなく、樹脂材料等によって構成されるものであってもよい。
【０１０６】
また、第一の敷設工程及び第二の敷設工程は、第一の防水シート３０及び第二の防水シート６０（シート状の部材）を敷設するものとしたが、これに限定されるものではなく、ある程度の厚みを有する板状部材を前後方向及び左右方向に敷き詰めるものであってもよい。
【０１０７】
また、屋根用架台４０の取付方法においては、第一の防水シート３０を屋根１の後側斜面の全面に敷設してから屋根用架台４０を固定するものとしたが、これに限定されるものではなく、例えば、以下のような手順を採用することができる。
屋根１の後側斜面の後半分にシート部材を溶着した後で、当該溶着した部分に屋根用架台４０を固定する。そして、屋根１の後側斜面の前半分（残りの部分）にシート部材を溶着し、当該溶着した部分に屋根用架台４０を固定する。
【０１０８】
また、屋根用架台４０の受け部４２の形状は、平面視略五角形状であるものとしたが、これに限定されるものではなく、平面視略台形状や平面視略矩形状等であってもよい。
【０１０９】
また、屋根用架台４０を屋根１に取り付けるための部材は、ビス５０であるものとしたが、これに限定されるものではなく、例えば、ボルト及びナット等であってもよい。
【０１１０】
また、屋根用架台４０の取付構造は、化粧板７０の有無を問わない。すなわち、屋根用架台４０の取付構造は、化粧板７０を具備しないものであってもよい。
【符号の説明】
【０１１１】
１    屋根（傾斜屋根）
３０  第一の防水シート（第一の防水部材）
４０  屋根用架台
５０  ビス（固定部材）
６０  第二の防水シート（第二の防水部材）
ＰＶ  太陽電池パネル（設置物）
【図１】
0006382257.tif 000002
【図２】
0006382257.tif 000003
【図３】
0006382257.tif 000004
【図４】
0006382257.tif 000005
【図５】
0006382257.tif 000006
【図６】
0006382257.tif 000007
【図７】
0006382257.tif 000008
【図８】
0006382257.tif 000009
【図９】
0006382257.tif 000010
【図１０】
0006382257.tif 000011
【図１１】
0006382257.tif 000012